(57)【要約】【課題】屋根の傾斜に適合させその傾斜屋根上でペンキ収容缶を略水平に載置保持するための載置保持具を提供する。【解決手段】本考案の載置保持具は、ペンキ収容缶Ｋを載置し着脱手段３を介して着脱可能に構成した矩形の缶載置台２と、前記缶載置台２の四隅下側に固設され当該缶載置台２を安定支持する四本の支持脚４と、前記各支持脚４の下部に固設された滑り止め部材６とから構成され、前記支持脚４のうち傾斜屋根Ｙの下手側に位置する一組の支持脚４Ａ・４Ａは、それぞれその上端が前記缶載置台２に固設された外筒５と、前記外筒５に内嵌されその下端部に前記滑り止め部材６を備えるスライド脚部材７と、前記外筒５に付設され前記スライド脚部材７を当該外筒５の下方へ伸縮自在に固定する位置固定手段１０とから構成される。【選択図】図１
0003202213.tif 000002
【実用新案登録請求の範囲】
【請求項１】
ペンキ収容缶（Ｋ）を載置し着脱手段（３）を介して着脱可能に構成した矩形の缶載置台（２）と、前記缶載置台（２）の四隅下側に固設され当該缶載置台（２）を安定支持する四本の支持脚（４）と、前記各支持脚（４）の下部に固設された滑り止め部材（６）とから構成されるペンキ収容缶の載置保持具において、
前記支持脚（４）のうち傾斜屋根（Ｙ）の下手側に位置する一組の支持脚（４Ａ・４Ａ）は、それぞれその上端が前記缶載置台（２）に固設された外筒（５）と、前記外筒（５）に内嵌されその下端部に前記滑り止め部材（６）を備えるスライド脚部材（７）と、前記外筒（５）に付設され前記スライド脚部材（７）を当該外筒（５）の下方へ伸縮自在に固定する位置固定手段（１０）とから構成した、ことを特徴とするペンキ収容缶の載置保持具。
【請求項２】
請求項１に記載したペンキ収容缶の載置保持具において、
前記位置固定手段（１０）が、前記外筒（５）の下方部に固設されたピンガイド筒（１１）と、前記ピンガイド筒（１１）内に進退自在に設けられ、進出時に前記スライド脚部材（７）に凹設されたピン穴（７ｂ）にその先端部が嵌入する固定用ピン（１２）と、前記固定用ピン（１２）を進出側へ弾発付勢するピン付勢ばね（１３）と、前記固定用ピン（１２）を退入側へ手動操作するつまみ（１４）とから構成されたことを特徴とするペンキ収容缶の載置保持具。
【考案の詳細な説明】
【技術分野】
【０００１】  本考案は、ペンキを収容する一斗缶（以下、単に「ペンキ収容缶」という）を傾斜した屋根上で略水平に載置保持するための載置保持具に関する。
【背景技術】
【０００２】  傾斜した屋根上でペンキの塗布作業するときは、上記ペンキ収容缶を平坦な箇所に置き、その場所でペンキ収容缶から小分けしたペンキを小さな缶に入れて、その小さな缶を一方の手で持ち、他方の手にペンキ刷毛をもってペンキの塗布作業するのが一般的である。
上記ペンキ収容缶を平坦な箇所に載置保持する手段としては、例えば本出願人の提案したもので、特許文献１に示す載置保持具（以下、「従来例」という）が知られている。この従来例は、ペンキ収容缶を載置し着脱手段を介して着脱可能に構成した矩形の缶載置台と、前記缶載置台の四隅下側に固設され当該缶載置台を安定支持する四本の支持脚と、前記各支持脚の下部に固設された滑り止め部材とから構成されている。
【特許文献１】実用新案登録第３１５５４８５号
【考案の開示】
【考案が解決しようとする課題】
【０００３】  上記従来例では、以下のような不都合がある。
傾斜した屋根上でペンキの塗布作業するとき、両手がふさがりアンバランスの状態になり易く危険である。また、上記ペンキ収容缶を平坦な箇所に置き、前記小さな缶にペンキを小分けするために、そのペンキ収容缶のある所まで傾斜した屋根上を度々往復する必要があり、それが大変煩わしい。【０００４】  本考案は上記のような不都合を解消するためになされたもので、傾斜した屋根上でペンキ収容缶を略水平に載置保持するための載置保持具を提供することをその目的とする。
【課題を解決するための手段】
【０００５】  本考案は前記課題を解決するものとして以下のように構成される。
即ち、本考案の基本構成は、ペンキ収容缶Ｋを載置し着脱手段３を介して着脱可能に構成した矩形の缶載置台２と、前記缶載置台２の四隅下側に固設され当該缶載置台２を安定支持する四本の支持脚４と、前記各支持脚４の下部に固設された滑り止め部材６とから構成される。【０００６】  そして本考案の請求項１に記載の構成は、前記支持脚４のうち傾斜屋根Ｙの下手側に位置する一組の支持脚４Ａ・４Ａが、それぞれその上端が前記缶載置台２に固設された外筒５と、前記外筒５に内嵌されその下端部に前記滑り止め部材６を備えるスライド脚部材７と、前記外筒５に付設され前記スライド脚部材７を当該外筒５の下方へ伸縮自在に固定する位置固定手段１０とから構成されることを特徴とするものである。【０００７】  また、本考案の請求項２に記載の構成は、上記特徴構成に以下の構成を付加したものである。即ち、前記位置固定手段１０が、前記外筒５の下方部に固設されたピンガイド筒１１と、前記ピンガイド筒１１内に進退自在に設けられ、進出時に前記スライド脚部材７に凹設されたピン穴７ｂにその先端部が嵌入する固定用ピン１２と、前記固定用ピン１２を進出側へ弾発付勢するピン付勢ばね１３と、前記固定用ピン１２を退入側へ手動操作するつまみ１４とから構成されることを特徴とするものである。
【考案の効果】
【０００８】  本考案の請求項１に記載のペンキ収容缶の載置保持具によれば、支持脚４のうち傾斜屋根Ｙの下手側に位置する一組の支持脚４Ａ・４Ａが、それぞれ上記のように缶載置台２に固設された外筒５と、その外筒５に内嵌されたスライド脚部材７と、前記スライド脚部材７を当該外筒５の下方へ伸縮自在に固定する位置固定手段１０とから構成されることから、ペイント作業する屋根Ｙの傾斜に適合させて一組の支持脚４Ａ・４Ａ  の各スライド脚部材７・７を進退させ、位置固定手段１０により適当な伸縮位置で固定することにより傾斜した屋根Ｙ上のどこにでもペンキ収容缶Ｋを略水平に載置保持することができる。これにより傾斜屋根Ｙのどこにでも上記ペンキ収容缶Ｋを移動させてペイント作業をすることができる。【０００９】  つまり、前記小さな缶にペンキを小分けするために、そのペンキ収容缶の置いてある所まで傾斜屋根上を度々往復する必要がなく至便である。また、傾斜した屋根上でペンキの塗布作業をするとき、両手がふさがることもなく、アンバランスの状態になることもなく、作業の安全に資することができる。【００１０】  本考案の請求項２に記載の特徴構成によれば、前記位置固定手段１０を構成する固定用ピン１２はピンガイド筒１１内に進退自在に設けられ、ピン付勢ばね１３により弾発付勢されてスライド脚部材７に凹設されたピン穴７ｂに固定用ピン１２の先端部が嵌入することにより、確実にスライド脚部材７を所要位置に固定することができる。なお、ピン付勢ばね１３の付勢力に抗してつまみ１４を引っ張ることにより固定用ピン１２を退入させ、固定用ピン１２の先端部の嵌入を解除する。つまり、この実施形態によればワンタッチで位置固定手段１０を手動操作することができるので至便である。
【考案を実施するための最良の形態】
【００１１】  以下、本考案の好ましい実施形態について添付図面を参照しながら詳細に説明する。なお、以下の実施形態では、技術的に好ましい種々の部材が付加されているが、本考案の技術的範囲は、以下の説明において特に限定する旨の記載がない限り、これらの態様に限られるものではない。【００１２】    図１は本考案の実施形態に係るペンキ収容缶の載置保持具の縦断側面図、図２は本考案の実施形態に係る支持脚の縦断側面図、図３は図１中の符号Ｊで示す腰部の拡大図、図４はその載置保持具の平面図である。このペンキ収容缶の載置保持具１は、図４に示すように、ペンキ収容缶Ｋを載置し着脱手段３を介して着脱可能に構成した矩形の缶載置台２と、前記缶載置台２の四隅下側に固設され当該缶載置台２を安定支持する四本の支持脚４と、前記各支持脚４の下部に固設された滑り止め部材６とから構成される。【００１３】  上記缶載置台２は、図１〜図４で示すように、鋼材を溶接して平面視で略正方形をなすように形成され、その四辺部は平坦な缶載置部２ａとその外縁に沿う起立部２ｂとが縦断面視でＬ字状をなすように形成されている。仮想線で示すペンキ収容缶Ｋは、上記缶載置部２ａ上に載置され着脱手段３を介して着脱可能に固定されている。【００１４】  上記着脱手段３は、図４で示すように、前記缶載置台２の対向する起立部２ｂ・２ｂに付設され、ペンキ収容缶Ｋの底辺近傍部を三点で固定するように構成されている。即ちペンキ収容缶Ｋの一片の底辺近傍部を２個のボルト３ａ・３ａで固定するとともに、これと対向する底辺近傍部の中央位置を１個の手動操作ボルト３ｂで固定するように構成されている。【００１５】  図３に示すように、前記起立部２ｂにはナット３ｃが溶接等により固設され、前記手動操作ボルト３ｂは、このナット３ｃにねじ込み、その先端部でペンキ収容缶Ｋの底辺に形成された凸状耳部Ｋ１の少し上を押さえることにより、締緩自在に固定するように構成されている。これにより、図４に示すペンキ収容缶Ｋの取手Ｋ２を持ち上げて、上記缶載置台２とペンキ収容缶Ｋとを一体に持ち運ぶことができる。【００１６】  前記支持脚４のうち傾斜屋根Ｙの下手側に位置する一組の支持脚４Ａ・４Ａ  は、図１及び図２に示すように、それぞれの上端が前記缶載置台２に固設された外筒５と、この外筒５に内嵌されその下端部に前記滑り止め部材６を備えるスライド脚部材７と、前記外筒５に付設され前記スライド脚部材７を当該外筒５の下方へ伸縮自在に固定する位置固定手段１０とから構成されている。【００１７】  上記構成により、ペイント作業する屋根Ｙの傾斜に適合させて一組の支持脚４Ａ・４Ａの各スライド脚部材７・７を進退させ、位置固定手段１０により適当な伸縮位置で固定することにより傾斜した屋根Ｙ上のどこにでもペンキ収容缶Ｋを略水平に載置保持することができる。また、傾斜屋根Ｙのどこにでも上記ペンキ収容缶Ｋを移動させてペイント作業をすることができる。なお、前記支持脚４のうち傾斜屋根Ｙの上手側に位置する一組の支持脚４Ｂ・４Ｂは、図１及び図４に示すように、所定の短い寸法に形成され伸縮不能に構成されている。【００１８】  前記位置固定手段１０は、図２に示すように、前記外筒５の下部に固設された���ンガイド筒１１と、このピンガイド筒１１内に進退自在に設けられ、進出時に前記スライド脚部材７に凹設されたピン穴７ｂにその先端部が嵌入する固定用ピン１２と、前記固定用ピン１２を進出側へ弾発付勢するピン付勢ばね１３と、前記固定用ピン１２を退入側へ手動操作するつまみ１４とから構成されている。【００１９】  上記位置固定手段１０を構成する固定用ピン１２は、ピンガイド筒１１内に進退自在に設けられ、ピン付勢ばね１３により弾発付勢されてスライド脚部材７に凹設されたピン穴７ｂに固定用ピン１２の先端部が嵌入することにより、スライド脚部材７を所要位置に確実に固定することができる。他方、ピン付勢ばね１３の付勢力に抗してつまみ１４を引っ張ることにより固定用ピン１２を退入させ、固定用ピン１２の先端部の嵌入を解除する。【００２０】  前記スライド脚部材７には、図２に示すように、固定用ピン１２の先端部をピン穴７ｂに向けて案内するガイド溝７ａが形成され、前記ピン穴７ｂは前記ガイド溝７ａの底部に適当間隔で複数形成されている。つまり、図１に示すように、屋根Ｙの傾斜に適合させてスライド脚部材７のスライド位置を適当位置に固定することにより、ペンキ収容缶Ｋを略水平に載置保持することができる。ちなみにこの実施形態では、屋根Ｙの傾斜角度１０〜４０度に対して適用できるように設定されている。【００２１】  前記缶載置台２の対向する各起立部２ｂ・２ｂの頂部中央には、図１〜図４に示すように、脱落規制部材２ｃが溶着されている。この脱落規制部材２ｃは缶載置台２上に載置した物（ペンキ収容缶には限らない）が当該缶載置台２から脱落するのを規制するものである。例えば図５に示すように、２台の載置保持具１・１を傾斜屋根上に平行に配置し、その載置保持具１・１の間に足場部材Ｍを架け渡してその足場部材Ｍが傾斜方向に脱落するのを規制する。これにより足場部材Ｍは略水平に保たれ、その足場部材Ｍの上に作業道具等を置いてその足場部材Ｍの上で安全に作業することができる。【００２２】  前記スライド脚部材７の下端部には、図２に示すように、滑り止め部材６が固設されている。即ち、スライド脚部材７の下端部にはナット６ａが溶着され、上記滑り止め部材６内に埋め込まれたボルト６ｂの先端部が当該ナット６ａに螺着固定されている。なお、この実施形態では、上記滑り止め部材６は、傾斜角度に沿って若干弾性変形可能な硬質ゴムで構成されている。【００２３】  上記の実施形態では、位置固定手段１０が、ピンガイド筒１１と、固定用ピン１２と、ピン付勢ばね１３とにより構成したものについて例示したが、ピン付勢ばね１３を省略し、これに代えて固定用ピン１２をネジ式にしてスライド脚部材７に凹設されたピン穴７ｂに固定用ネジの先端部が嵌入するようにしても良い。【００２４】  上記の実施形態では、上記滑り止め部材６が傾斜角度に沿って若干弾性変形可能な硬質ゴムで構成されたものについて例示したが、弾性変形可能な材料として合成樹脂材で代替することもできる
【図面の簡単な説明】
【００２５】
【図１】は本考案の実施形態に係るペンキ収容缶の載置保持具の縦断側面図である。
【図２】は本考案の実施形態に係る支持脚４のうち傾斜屋根Ｙの下手側に位置する支持脚の縦断側面図である。
【図３】は図１中の符号Ｊで示す腰部の拡大図である。
【図４】は本考案の実施形態に係るペンキ収容缶の載置保持具の平面図である。
【図５】は本考案の実施形態に係る載置保持具の別の用途を示す平面図である。
【符号の説明】
【００２６】  １…ペンキ収容缶の載置保持具、２…缶載置台、３…着脱手段、４…支持脚、４Ａ…傾斜屋根の下手側に位置する支持脚、５…外筒、６…滑り止め部材、７…スライド脚部材、７ｂ…ピン穴、１０…位置固定手段、１１…ピンガイド筒、１２…固定用ピン、１３…ピン付勢ばね、１４…つまみ、Ｋ…ペンキ収容缶、Ｙ…傾斜屋根。
【図１】
0003202213.tif 000003
【図２】
0003202213.tif 000004
【図３】
0003202213.tif 000005
【図４】
0003202213.tif 000006
【図５】
0003202213.tif 000007